【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  構成可能なモバイル・デバイスを更新するためのモジュラ・セルラ・デバイス・カートリッジであって、
少なくとも１つのセルラ電話システムのための一組の選択したモバイル・デバイス機能を有する少なくとも１つの電子ワイヤレス通信構成要素を有すると共に、かつ少なくとも１つのセルラ電話システムのオペレーションをサポートするモバイル・デバイスに接続して通信できるよう構成されたインターフェースとを有するセルラ・カートリッジを具備することを特徴とするモジュラ・セルラ・デバイス・カートリッジ。
【請求項２】  前記カートリッジはアンテナを含む、請求項１記載のセルラ電話カートリッジ。
【請求項３】  前記インターフェースは前記カートリッジと前記電話との間の無線周波信号転送用のサポートを含む、請求項１記載のセルラ電話カートリッジ。
【請求項４】  前記カートリッジはアンテナを含み、前記インターフェースは前記カートリッジと前記電話との間の無線周波信号転送用のサポートを含む、請求項１記載のセルラ電話カートリッジ。
【請求項５】  前記カートリッジは前記カートリッジ・アンテナからの無線周波信号と前記電話からの前記インターフェースを介する無線周波信号とを同時に使用する手段を含む、請求項４記載のセルラ電話カートリッジ。
【請求項６】  前記カートリッジは前記カートリッジ・アンテナからの前記無線周波信号と前記インターフェースを介する前記電話からの前記無線周波信号とを切り換える手段を含む、請求項４記載のセルラ電話カートリッジ。
【請求項７】  前記カートリッジは前記インターフェースを介して前記電話から受信した情報に基づきどの無線周波信号を使用するか選択する、請求項６記載のセルラ電話カートリッジ。
【請求項８】  前記インターフェースは双方向アナログ音声信号用のサポートを含む、請求項１記載のセルラ電話カートリッジ。
【請求項９】  前記インターフェースはデジタル音声信号にだけ使用する接続を含む、請求項１記載のセルラ電話カートリッジ。
【請求項１０】  前記前記インターフェースは双方向アナログ音声信号用のサポートを含み、
前記インターフェースはデジタル音声信号用のサポートを含み、
前記カートリッジは前記アナログ信号と前記デジタル信号の切り換え手段を含む、請求項１記載のセルラ電話カートリッジ。
【請求項１１】  前記インターフェースはシリアル・データ通信用のサポートを含む、請求項１記載のセルラ電話カートリッジ。
【請求項１２】  前記カートリッジは前記インターフェースを介して前記電話から送信された情報に基づきそのオペレーションを構成する手段を含む、請求項１記載のセルラ電話カートリッジ。
【請求項１３】  前記カートリッジは視認可能な印刷回路基板を含む、請求項１記載のセルラ電話カートリッジ。
【請求項１４】  前記カートリッジは集積回路である、請求項１記載のセルラ電話カートリッジ。
【請求項１５】  前記カートリッジは内蔵型ユーザ記憶メモリを含む、請求項１記載のセルラ電話カートリッジ。
【請求項１６】  少なくとも一つのセルラネットワーク・システム用に選択した一組のモバイル電話機能をサポートする少なくとも一つのワイヤレス通信構成要素と、
一組の選択したモバイル電話機能を提供する少なくとも一つの電子ワイヤレス通信構成要素をそのそれぞれが有する複数のセルラ電話カートリッジへの接続用に構成したインターフェースとを含む、ことを特徴とするモジュラ・モバイル電話。
【請求項１７】  前記電話は運搬用車両かハンドヘルド・コンピュータか個人用携帯型情報端末かデータ交換電話かハンドセットである、請求項１６記載のモバイル電話。
【請求項１８】  前記インターフェースは前記カートリッジと前記電話との間で無線周波信号を転送するサポートを含む、請求項１６記載のモバイル電話。
【請求項１９】  前記電話は前記インターフェースへ接続したアンテナを含み、前記電話はさらに該アンテナに関する情報を前記カートリッジへ送信する手段を含む、請求項１８記載のモバイル電話。
【請求項２０】  前記インターフェースは双方向アナログ音声信号用のサポートを含む、請求項１６記載のモバイル電話。
【請求項２１】  前記インターフェースはデジタル音声信号にだけ使用する接続を含む、請求項１６記載のモバイル電話。
【請求項２２】  前記インターフェースは双方向アナログ音声信号用のサポートを含み、
前記インターフェースはデジタル音声信号用のサポートを含み、
前記電話は前記アナログ信号と前記デジタル信号とを切り換える手段を含む、請求項１６記載のモバイル電話。
【請求項２３】  前記インターフェースはシリアル・データ通信用のサポートを含む、請求項１６記載のモバイル電話。
【請求項２４】  前記電話は前記インターフェースを介して前記カートリッジから送信された情報に基づきそのオペレーションを構成する手段を含む、請求項１６記載のモバイル電話。
【請求項２５】  前記インターフェースは集積回路であるカートリッジへ接続する手段を含む、請求項１６記載のモバイル電話。
【請求項２６】  前記電話は前記カートリッジが内蔵するユーザ記憶メモリへアクセスする手段を含む、請求項１６記載のモバイル電話。
【請求項２７】  少なくとも一つの選択したワイヤレス通信システムをサポートする第１組の少なくとも１つのワイヤレス通信構成要素を有し、かつ同時に、複数のモジュラ・カートリッジとの通信用に構成された前記第１組の少なくとも一つのワイヤレス通信構成要素と通信する電話インターフェースとを有するモバイル電話と、
一組のワイヤレス通信機能を提供する第２組の少なくとも一つのワイヤレス通信構成要素を有し、かつ前記電話インターフェースに取り外し可能に接続されて少なくとも一つの前記第１組と前記第２組のワイヤレス通信構成要素間の共有結合を提供する前記第２組の少なくとも一つのワイヤレス通信構成要素と通信するカートリッジ・インターフェースを有するモジュラ・カートリッジとを含む、ことを特徴とするワイヤレス通信電話。
【請求項２８】  前記モバイル電話は運搬用車両かハンドヘルド・コンピュータか個人用携帯型情報端末かデータ交換電話かハンドセットである、請求項２７記載のワイヤレス通信電話。
【請求項２９】  前記カートリッジはアンテナを含む、請求項２７記載のワイヤレス通信電話。
【請求項３０】  前記インターフェースはカートリッジと電話との間の無線周波信号転送用のサポートを含む、請求項２７記載のワイヤレス通信電話。
【請求項３１】  前記カートリッジはアンテナを含み、前記インターフェースは前記カートリッジと前記電話との間の無線周波信号転送用のサポートを含む、請求項２７記載のワイヤレス通信電話。
【請求項３２】  前記カートリッジは前記カートリッジ・アンテナからの無線周波信号と前記電話から無線周波信号とを同時に使用する手段を含む、請求項３１記載のワイヤレス通信電話。
【請求項３３】  前記カートリッジは前記カートリッジ・アンテナからの前記無線周波信号と前記電話からの前記無線周波信号とを切り換える手段を含む、請求項３１記載のワイヤレス通信電話。
【請求項３４】  前記カートリッジは前記電話とカートリッジとの間で交換された情報に基づきどの無線周波信号を使用するか選択する、請求項３３記載のワイヤレス通信電話。
【請求項３５】  前記インターフェースは双方向アナログ音声信号用のサポートを含む、請求項２７記載のワイヤレス通信電話。
【請求項３６】  前記インターフェースはデジタル音声信号にだけ使用する接続を含む、請求項２７記載のワイヤレス通信電話。
【請求項３７】  前記前記インターフェースは双方向アナログ音声信号用のサポートを含み、
前記インターフェースはデジタル音声信号用のサポートを含み、
前記電話システムは前記アナログ信号と前記デジタル信号との切り換え手段を含む、請求項２７記載のワイヤレス通信電話。
【請求項３８】  前記インターフェースはシリアル・データ通信用のサポートを含む、請求項２７記載のワイヤレス通信電話。
【請求項３９】  前記システムは前記インターフェースを介して前記電話から送信された情報に基づきそのオペレーションを構成する手段を含む、請求項２７記載のワイヤレス通信電話。
【請求項４０】  前記カートリッジは視認可能な印刷回路基板を含む、請求項２７記載のワイヤレス通信電話。
【請求項４１】  前記カートリッジは集積回路である、請求項２７記載のワイヤレス通信電話。
【請求項４２】  前記カートリッジは内蔵型ユーザ記憶メモリを含む、請求項２７記載のワイヤレス通信電話。